(57)【要約】      （修正有）【課題】オス端子が変形したり損傷することを防ぐことができるコネクタを提供すること。【解決手段】フロントホルダ１４は、延長方向前方に向かってスライドした場合、タブ端子部２１の側方を覆う保護位置に配置され、延長方向後方に向かってスライドした場合、タブ端子部２１の側方が露出する接続可能位置に配置される。ハウジング１３の嵌合部３２の先端から突出したオス端子１２のタブ端子部２１がフロントホルダ１４で覆われるため、オス端子１２のタブ端子部２１に相手方コネクタや異物などが接触することでオス端子１２のタブ端子部２１が変形したり損傷することを防ぐことができる。【選択図】図２
2015201340.tif 000002
【特許請求の範囲】
【請求項１】
相手方端子に接触する端子部を有する接続端子と、
前記端子部が突出した状態で前記接続端子を保持するハウジングと、
前記接続端子が延在する延長方向に沿ってスライド可能に前記ハウジングに取り付けられたフロントホルダと、
を備え、
前記フロントホルダは、前記延長方向前方に向かってスライドした場合、前記端子部の側方を覆う第１の位置に配置され、前記延長方向後方に向かってスライドした場合、前記端子部の側方が露出する第２の位置に配置される、
ことを特徴とするコネクタ。
【請求項２】
前記フロントホルダには、前記延長方向前方に位置する該フロントホルダの先端から突出するガイド突起が形成され、
前記相手方端子を保持する相手方筐体に形成されたガイド凹部に前記ガイド突起が係合することによって前記接続端子と前記相手方端子が位置合わせされる、
ことを特徴とする請求項１に記載のコネクタ。
【請求項３】
前記ガイド突起は、前記フロントホルダの先端から前記延長方向に沿って突出し、且つ、前記フロントホルダが前記第１の位置に配置された場合に、前記フロントホルダの先端よりも前記延長方向前方に位置する前記端子部の一部に対向するように形成されている、
ことを特徴とする請求項２に記載のコネクタ。
【発明の詳細な説明】
【技術分野】
【０００１】
本発明は、端子を備えたコネクタに関する。
【背景技術】
【０００２】
自動車用ワイヤーハーネス等に装着されるコネクタとして、ハウジングに複数のオス端子が保持され、これらのオス端子の先端がハウジングの先端から突出しているものがある（特許文献１参照）。
【先行技術文献】
【特許文献】
【０００３】
【特許文献１】特開２０１２−１０９０３５号公報
【発明の概要】
【発明が解決しようとする課題】
【０００４】
上記コネクタのように、オス端子がハウジングの先端から突出していると、オス端子のハウジングからの突出する一部分に相手方コネクタや異物等が干渉することで、オス端子が変形したり損傷することがある。このため、相手方コネクタとの接続時において、オス端子と相手方コネクタのメス端子との間で導通不良が生じて必要な電気的性能が得られなくなるおそれがある。
【０００５】
本発明は、上述した事情に鑑みてなされたものであり、その目的は、オス端子が変形したり損傷することを防ぐことができるコネクタを提供することにある。
【課題を解決するための手段】
【０００６】
前述した目的を達成するために、本発明に係るコネクタは、下記（１）〜（３）を特徴としている。
（１）  相手方端子に接触する端子部を有する接続端子と、
前記端子部が突出した状態で前記接続端子を保持するハウジングと、
前記接続端子が延在する延長方向に沿ってスライド可能に前記ハウジングに取り付けられたフロントホルダと、
を備え、
前記フロントホルダは、前記延長方向前方に向かってスライドした場合、前記端子部の側方を覆う第１の位置に配置され、前記延長方向後方に向かってスライドした場合、前記端子部の側方が露出する第２の位置に配置される、
ことを特徴とするコネクタ。
（２）  前記フロントホルダには、前記延長方向前方に位置する該フロントホルダの先端から突出するガイド突起が形成され、
前記相手方端子を保持する相手方筐体に形成されたガイド凹部に前記ガイド突起が係合することによって前記接続端子と前記相手方端子が位置合わせされる、
ことを特徴とする上記（１）に記載のコネクタ。
（３）  前記ガイド突起は、前記フロントホルダの先端から前記延長方向に沿って突出し、且つ、前記フロントホルダが前記第１の位置に配置された場合に、前記フロントホルダの先端よりも前記延長方向前方に位置する前記端子部の一部に対向するように形成されている、
ことを特徴とする（２）に記載のコネクタ。
【０００７】
上記（１）の構成のコネクタでは、フロントホルダがスライドして第１の位置に配置されている場合、ハウジングの先端から突出した接続端子の端子部の側方がフロントホルダによって覆われている。このようにフロントホルダが端子部を保護する構成により、接続端子の端子部に相手方筐体や異物などが接触することで接続端子の端子部が変形したり損傷することを防止することができる。これにより、端子部と相手方端子との間で導通不良が発生することを抑制することができる。この結果、コネクタ間において所望の電気的性能を得ることができる。
他方、上記（１）の構成のコネクタでは、相手方筐体との接続時には、フロントホルダがスライドして第２の位置に配置される。このとき、端子部はフロントホルダによって側方が覆われることなく露出している。このため、フロントホルダが端子部と相手方端子との接触を妨げることもない。
上記（２）の構成のコネクタでは、相手方筐体に設けられたガイド凹部にフロントホルダのガイド突起が係合する。このとき、ガイド凹部にガイド突起が係合した状態においては、接続端子と相手方端子が位置合わせされる。このため、接続端子を相手方端子と確実かつ円滑に接続することができる。
上記（３）の構成のコネクタでは、ガイド突起により、フロントホルダが第１の位置に配置された場合にフロントホルダの先端から僅かに突出している端子部の一部をも保護することができる。
【０００８】
前述した目的を達成するために、本発明に係るコネクタ嵌合構造は、下記（４）を特徴としている。
（４）  上記（２）または（３）に記載のコネクタと、嵌合穴が形成された前記相手方筐体と、を備え、前記コネクタを前記嵌合穴に嵌合するコネクタ嵌合構造であって、
前記相手方筐体には、前記嵌合穴の底面に前記ガイド凹部が穿設され、
前記コネクタは、前記フロントホルダが前記嵌合穴にガイドされることによって前記ハウジングが進入する方向が規制され、且つ、前記ガイド凹部に前記ガイド突起が係合することによって前記接続端子と前記相手方端子が位置合わせされる、
ことを特徴とするコネクタ嵌合構造。
【０００９】
上記（４）の構成のコネクタ嵌合構造では、フロントホルダが嵌合穴にガイドされ、且つ相手方筐体に設けられたガイド凹部にフロントホルダのガイド突起が係合する。このとき、フロントホルダが嵌合穴にガイドされることによってそのフロントホルダを支持するハウジングが進入する方向、すなわち嵌合方向が規制される。また、ガイド凹部にガイド突起が係合した状態においては、接続端子と相手方端子が嵌合方向を軸とする周回方向に位置合わせされている。このように、ハウジングの姿勢が所望の姿勢に規制される。このため、ハウジングは、その姿勢が維持されながら相手方筐体と嵌合されることとなり、接続端子を相手方端子と確実かつ円滑に接続することができる。
【発明の効果】
【００１０】
本発明のコネクタによれば、オス端子が変形したり損傷することを防ぐことができる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態に係るコネクタの斜視図である。
【図２】図２は、本実施形態に係るコネクタの断面図である。
【図３】図３は、本実施形態に係るコネクタの分解斜視図である。
【図４】図４は、コネクタ及び相手方コネクタの筐体部分の斜視図である。
【図５】図５は、コネクタを相手方コネクタに接続した状態の断面図である。
【図６】図６は、筐体を透過して視たフロントホルダ及び筐体側端子ホルダの斜視図である。
【図７】図７（ａ）及び図７（ｂ）は、コネクタの相手方コネクタへの接続途中の状態を示す図であって、それぞれコネクタ及び相手方コネクタの断面図である。
【発明を実施するための形態】
【００１３】
以下、本発明に係る実施の形態の例を、図面を参照して説明する。
【００１４】
図１は、本実施形態に係るコネクタの斜視図である。図２は、本実施形態に係るコネクタの断面図である。図３は、本実施形態に係るコネクタの分解斜視図である。
【００１５】
図１から図３に示すように、本実施形態に係るコネクタ１１は、一対のオス端子（接続端子）１２と、ハウジング１３と、フロントホルダ１４とを備えている。
【００１６】
オス端子１２は、導電性金属材料から形成されたもので、先端側が相手方端子に接触して導通接続されるタブ端子部（端子部と称することがある。）２１であり、後端側が電線２３の端部に接続される圧着部２２である。タブ端子部２１は、棒状に形成されており、後述する相手方コネクタ６１のメス端子（相手方端子）７３に挿し込まれて導通接続される。電線２３は、導体の周囲を外被で被覆したものであり、端部において外被から導体が露出している。この電線２３は、導体が露出した端部がオス端子１２の圧着部２２に圧着固定されている。これにより、電線２３の導体とオス端子１２とが導通した状態で電線２３の端部にオス端子１２が接続される。
【００１７】
ハウジング１３は、合成樹脂から形成されたもので、ハウジング本体３１と、嵌合部３２と、固定部３３とを有している。
【００１８】
ハウジング本体３１は、後方側が開口した収容空間３４を有している。ハウジング本体３１には、その開口を通して収容空間３４内に、スペーサ３５及びシール部材３６が収容され、その状態で開口にカバー３７が装着される。
【００１９】
スペーサ３５は、合成樹脂から形成されたもので、一対の電線挿通孔３５ａを有している。スペーサ３５は、ハウジング本体３１に対して、その後方側から開口を通して収容空間３４内に収容される。このスペーサ３５には、その後方側から電線挿通孔３５ａそれぞれにオス端子１２が挿し込まれる。スペーサ３５は、一対の電線挿通孔３５ａそれぞれに電線２３が配置された状態で該電線２３を保持する。
【００２０】
シール部材３６は、ゴム等の弾性材料から形成されたもので、一対のシール孔３６ａを有している。シール部材３６は、ハウジング本体３１に対して、スペーサ３５が収容された収容空間３４内に収容される。シール部材３６には、その後方側からシール孔３６ａにオス端子１２が挿し込まれ、シール孔３６ａ内に電線２３が配置される。このシール部材３６は、ハウジング本体３１の収容空間３４へ収容されることで、その外周面が収容空間３４を形成する内壁面に密着する。また、シール部材３６のシール孔３６ａに挿入された電線２３は、その外周面がシール孔３６ａの内周面に密着する。これにより、シール部材３６は、ハウジング本体３１の収容空間３４の内壁面と電線２３の外周面との間、及び２本の電線２３の間をシールする。このため、ハウジング本体３１と電線２３の間及び２本の電線の間を水やほこりが進入することが防止される。
【００２１】
カバー３７は、合成樹脂から形成されたもので、一対の開口部３７ａを有しており、これらの開口部３７ａに、電線２３が挿通される。カバー３７は、その周縁から前方側へ延在する周壁３７ｂを有している。このカバー３７は、ハウジング本体３１の後部に被さるように装着される。カバー３７は、その周壁３７ｂがハウジング本体３１の外周面を覆うように装着される。これにより、ハウジング本体３１は、収容空間３４の後方側の開口部分が閉塞される。このカバー３７をハウジング本体３１に装着することで、ハウジング本体３１の収容空間３４に収容したスペーサ３５及びシール部材３６が収容空間３４内に収容された状態で保持される。
【００２２】
嵌合部３２は、ハウジング本体３１の前方側に一体的に形成されており、ハウジング本体３１から前方に突出されている。嵌合部３２には、ハウジング本体３１の収容空間３４と連通する一対の端子保持空間４１が形成されている。端子保持空間４１それぞれは、嵌合部３２の先端で開口している。端子保持空間４１には、ハウジング本体３１側からオス端子１２が挿入される。端子保持空間４１に挿入されたオス端子１２は、その先端側のタブ端子部２１が嵌合部３２の先端から突出し、圧着部２２が端子保持空間４１内に位置するように保持される。一対のオス端子１２は、互いに向かい合う位置に保持されている。端子保持空間４１には、オス端子１２を係止して後方への移動を規制するランス（図示略）が設けられている。嵌合部３２には、環状のＯリング４２が外周に装着される。このＯリング４２は、嵌合部３２の先端側から嵌め込まれ、嵌合部３２のハウジング本体３１側に形成された段部３２ａに当接された状態に装着される。嵌合部３２には、該嵌合部３２に対してスライドするフロントホルダ１４を後述する保護位置に位置決めするための係止突起３２ｂがその外周に形成されている。
【００２３】
固定部３３は、ハウジング本体３１に一体的に形成されており、ハウジング本体３１に対して側方へ延在されている。この固定部３３には、ボルト挿通孔３３ａが形成されている。このボルト挿通孔３３ａには、固定部３３の後方側から筒状のカラー４５が嵌合される。カラー４５が嵌合された固定部３３のボルト挿通孔３３ａには、後方側から後述する固定ボルト６５が挿し込まれる。
【００２４】
フロントホルダ１４は、合成樹脂から形成されたもので、筒状に形成されている。フロントホルダ１４は、その先端部に前面板部５１が形成されている。この前面板部５１には、一対のタブ挿通孔５２が形成されている。タブ挿通孔５２には、オス端子１２のタブ端子部２１が挿通可能とされている。フロントホルダ１４は、ハウジング１３の嵌合部３２に、その先端側から嵌め込まれて装着され、オス端子１２の延長方向に沿ってスライド可能に設けられる。オス端子１２が延在する延長方向に沿ってハウジング１３の嵌合部３２が延設されているため、嵌合部３２を内嵌するフロントホルダ１４が該延長方向に沿ってスライドすることができる。
【００２５】
フロントホルダ１４は、ハウジング１３の嵌合部３２に対して延長方向前方にスライドすると、嵌合部３２の先端から突出するオス端子１２のタブ端子部２１の略全体を覆う保護位置（第１の位置と称することがある。）に配置される。筒状のフロントホルダ１４は、その内側に形成された係止突起が嵌合部３２の係止突起３２ｂに仮係止されることにより、保護位置に留まることができる。この保護位置にフロントホルダ１４が配置された状態では、オス端子１２のタブ端子部２１は、その先端側の一部がフロントホルダ１４の前面板部５１から僅かに突出している（図２参照）。タブ端子部２１の一部が前面板部５１から僅かに突出しているのは、フロントホルダ１４が延長方向後方にスライドする際に、タブ挿通孔５２によってタブ端子部２１がガイドされるようにするためである。これにより、延長方向後方へのフロントホルダ１４のスライドを円滑に行うことができる。
【００２６】
他方、フロントホルダ１４は、ハウジング１３の嵌合部３２に対して延長方向後方にスライドすると、後端部が嵌合部３２に装着されたＯリング４２に当接してそれ以上の後方へのスライドが規制された接続可能位置（第２の位置）に配置される。フロントホルダ１４が接続可能位置に配置されているとき、オス端子１２のタブ端子部２１全体がフロントホルダ１４の前面板部５１から突出している。このときのタブ端子部２１は、フロントホルダ１４によって側方が覆われておらず、露出した状態にある。このため、コネクタ１１は、フロントホルダ１４が接続可能位置に配置されているとき、相手方コネクタ６１と接続することができる。
【００２７】
また、フロントホルダ１４には、フロントホルダ１４の先端に位置する前面板部５１からオス端子１２の延長方向に沿って突出するガイド突起５５が形成されている。ガイド突起５５は、互いに対向するように２つ形成されている。ガイド突起５５は、オス端子１２の延長方向と同方向に突出している。このガイド突起５５は、フロントホルダ１４が保護位置に配置された場合に、フロントホルダ１４の前面板部５１よりも延長方向前方に位置するタブ端子部２１の一部に対向する位置に形成されている。このため、２つのタブ端子部２１及び２つのガイド突起５５は、図１及び図２に示すように、一列に並ぶように配置される。このガイド突起５５により、フロントホルダ１４が保護位置に配置された場合にフロントホルダ１４の前面板部５１から僅かに突出しているタブ端子部２１の一部をも保護することができる。
【００２８】
図４は、コネクタ及び相手方コネクタの筐体部分の斜視図である。図５は、コネクタを相手方コネクタに接続した状態の断面図である。図６は、筐体を透過して視たフロントホルダ及び筐体側端子ホルダの斜視図である。
【００２９】
図４から図６に示すように、本実施形態に係るコネクタ１１が接続される相手方コネクタ６１は、例えば、電子機器等に形成されている。本実施形態では、相手方コネクタ６１が、電子機器の筐体６２と、筐体６２の内側に位置する筐体側端子ホルダ７１と、によって構成される形態について説明する。筐体６２及び筐体側端子ホルダ７１をまとめて、相手方筐体と称することがある。尚、本発明のコネクタは、以降に説明する相手方コネクタ６１の構成によって限定されるものではない。
【００３０】
筐体６２には、嵌合穴６３が穿設されている。この嵌合穴６３に、コネクタ１１のフロントホルダ１４を有する嵌合部３２が嵌合される。また、筐体６２には、嵌合穴６３の近傍に、ネジ孔６４が形成されている。このネジ孔６４には、コネクタ１１の固定部３３のボルト挿通孔３３ａに挿通された固定ボルト６５が螺合される。
【００３１】
また、筐体側端子ホルダ７１は、コネクタ１１が接続される側とは反対に位置する筐体６２の内側に設けられている。この筐体側端子ホルダ７１には、一対のキャビティ７２が形成されており、これらのキャビティ７２には、メス端子７３が収容されて保持されている。メス端子７３は、導電性金属材料から形成されたものであり、配線によって電子機器に実装された電子部品等と接続されている。筐体側端子ホルダ７１には、筐体６２側に隆起する受け台７５が形成されている。受け台７５は、フロントホルダ１４の外径と略同程度の外径を有する円盤状の小径台７５ａと、小径台７５ａよりも外径が大きい円盤状の大径台７５ｂとが軸心を一致させた状態で積層された形状である。小径台７５ａ及び大径台７５ｂには、コネクタ１１のオス端子１２のタブ端子部２１が挿通可能な一対のタブ挿通孔７４がキャビティ７２に連通するように形成されている。メス端子７３は、オス端子１２のタブ端子部２１がタブ挿通孔７４に挿し込まれ、キャビティ７２に進入することにより、オス端子１２と接触子、導通接続される。
【００３２】
受け台７５の小径台７５ａには、図６に示すように、径方向内側に向かって窪んだガイド凹部７６が形成されている。ガイド凹部７６は、ガイド突起５５の外寸よりも僅かに大きい寸法である。ガイド凹部７６は、小径台７５ａに２箇所、２つのガイド突起５５に対応した位置に形成されている。このため、コネクタ１１のフロントホルダ１４を有する嵌合部３２が嵌合穴６３に挿入されたとき、軸心を中心にしてコネクタ１１を回転することにより、フロントホルダ１４のガイド突起５５がガイド凹部７６に進入し、ガイド突起５５及びガイド凹部７６が係合することができる。メス端子７３及びタブ挿通孔７４は、ガイド突起５５及びガイド凹部７６が係合する位置にあるときにオス端子１２のタブ端子部２１がメス端子７３に進入することができる正規の位置となるよう、筐体側端子ホルダ７１に設けられている。
【００３３】
次に、本実施形態に係るコネクタ１１を相手方コネクタ６１に接続する場合について説明する。
【００３４】
図７は、コネクタの相手方コネクタへの接続途中の状態を示す図であって、図７（ａ）及び図７（ｂ）は、それぞれコネクタ及び相手方コネクタの断面図である。
【００３５】
コネクタ１１のハウジング１３の固定部３３をネジ孔６４側に配置させた状態で、コネクタ１１の先端のフロントホルダ１４を相手方コネクタ６１の嵌合穴６３に挿し込む。このとき、オス端子１２のタブ端子部２１の大部分は、保護位置に配置されたフロントホルダ１４によって覆われ、また、フロントホルダ１４の前面板部５１から僅かに突出したタブ端子部２１の一部は、その側方にフロントホルダ１４のガイド突起５５が配置されている。したがって、タブ端子部２１は、相手方コネクタ６１の筐体６２などに接触して変形や損傷するような不具合が防がれる。
【００３６】
続いて、コネクタ１１の嵌合部３２を相手方コネクタ６１の嵌合穴６３へさらに挿し込む。このとき、フロントホルダ１４が嵌合穴６３にガイドされることによってそのフロントホルダ１４を支持するハウジング１３が進入する方向、すなわち嵌合方向が規制されている。すると、図７（ａ）に示すように、ガイド突起５５とガイド凹部７６の位置がずれていれば、フロントホルダ１４のガイド突起５５の先端が筐体側端子ホルダ７１の小径台７５ａの上面に当接する（図６参照）。このとき、ハウジング１３の軸心を中心にしてコネクタ１１を回転してガイド突起５５とガイド凹部７６の位置を合わせることにより、ガイド突起５５をガイド凹部７６に進入させることができる。尚、固定部３３のボルト挿通孔３３ａを筐体６２のネジ孔６４に合わせるようにコネクタ１１を回転すれば、ガイド突起５５とガイド凹部７６の位置を容易に合わせることができる。以上のようにガイド突起５５及びガイド凹部７６が係合した状態において、フロントホルダ１４は、コネクタ１１の挿入方向に沿うこれ以上の移動が規制され、また、オス端子１２とメス端子７３がハウジング１３の嵌合方向を軸とする周回方向に位置合わせされている。
【００３７】
この状態から、コネクタ１１を相手方コネクタ６１へさらに挿し込む。すると、図７（ｂ）に示すように、コネクタ１１の挿入方向に沿う移動が規制されたフロントホルダ１４がハウジング１３に対して相対的に後方へスライドし、同時に、フロントホルダ１４の前面板部５１のタブ挿通孔５２からオス端子１２のタブ端子部２１が相対的に前方へ進入する。このとき、オス端子１２のタブ端子部２１は、筐体側端子ホルダ７１のタブ挿通孔７４とも位置合わせされているため、筐体側端子ホルダ７１のタブ挿通孔７４に挿通され、メス端子７３に挿し込まれてメス端子７３と接触し導通接続される。この状態で、ハウジング本体３１の嵌合部３２と筐体６２の嵌合穴６３との嵌合が完了する。このとき、嵌合部３２のＯリング４２が嵌合穴６３内に配置されており、嵌合部３２の外周面と嵌合穴６３の内周面との間がＯリング４２によってシールされる。
【００３８】
次に、コネクタ１１の固定部３３のボルト挿通孔３３ａに固定ボルト６５を挿し込み、筐体６２のネジ孔６４にねじ込む。これにより、コネクタ１１は、相手方コネクタ６１に接続された状態で筐体６２に締結固定され、オス端子１２がメス端子７３に導通接続された状態に維持される（図５参照）。
【００３９】
以上、説明したように、本実施形態に係るコネクタ１１によれば、フロントホルダ１４は、オス端子１２の延長方向前方に向かってスライドした場合、タブ端子部２１の側方を覆う保護位置に配置され、延長方向後方に向かってスライドした場合、タブ端子部２１の側方が露出する接続可能位置に配置される。
【００４０】
したがって、ハウジング１３の嵌合部３２の先端から突出したオス端子１２のタブ端子部２１がフロントホルダ１４で覆われるため、オス端子１２のタブ端子部２１に相手方コネクタ６１や異物などが接触することでオス端子１２のタブ端子部２１が変形したり損傷することを防ぐことができる。これにより、相手方コネクタ６１と接続した際の導通不良を抑制することができる。この結果、コネクタ間において所望の電気的性能を得ることができる。また、相手方コネクタ６１との接続時には、フロントホルダ１４が後方へスライドしてタブ端子部２１が露出するので、フロントホルダ１４が相手方コネクタ６１との接続時に邪魔になるようなこともない。
【００４１】
また、フロントホルダ１４には、オス端子１２の延長方向前方に位置する先端から突出するガイド突起５５が形成されており、このガイド突起５５が筐体側端子ホルダ７１に形成されたガイド凹部７６に係合するように、コネクタ１１と相手方コネクタ６１とが接続される。このとき、フロントホルダ１４が嵌合穴６３にガイドされることによってそのフロントホルダ１４を支持するハウジング１３が進入する方向、すなわち嵌合方向が規制される。また、ガイド凹部７６にガイド突起５５が係合した状態においては、オス端子１２とメス端子７３が嵌合方向を軸とする周回方向に位置合わせされている。このように、ハウジング１３の姿勢が所望の姿勢に規制される。このため、ハウジング１３は、その姿勢が維持されながら相手方筐体と嵌合されることとなり、オス端子１２をメス端子７３と確実かつ円滑に接続することができる。
【００４２】
また、ガイド突起５５は、フロントホルダ１４が保護位置に配置された場合に、フロントホルダ１４の先端よりもオス端子１２の延長方向前方に位置するタブ端子部２１の一部に対向するように形成されている。このガイド突起５５により、フロントホルダ１４が保護位置に配置された場合にフロントホルダ１４の前面板部５１から僅かに突出しているタブ端子部２１の一部をも保護することができる。
【００４３】
なお、上記実施形態では、コネクタ１１にオス端子１２を設け、コネクタ１１のオス端子１２を相手方コネクタ６１のメス端子７３に導通接続させる場合を例にとって説明したが、コネクタ１１側に接続端子としてメス端子を設け、コネクタ１１のメス端子を相手方コネクタ６１のオス端子に導通接続させるものでも良い。この場合、フロントホルダ１４は、嵌合部３２から突出されるメス端子の先端部分の端子部を覆う保護位置に配置され、相手方コネクタ６１との接続時に後方へスライドされてメス端子の端子部を露出させる接続可能位置に配置されることとなる。
【００４４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４５】
１１  コネクタ
１２  オス端子（接続端子）
１３  ハウジング
１４  フロントホルダ
２１  タブ端子部（端子部）
５５  ガイド突起
６１  相手方コネクタ
６３  嵌合穴
７３  メス端子（相手方端子）
【図１】
2015201340.tif 000003
【図２】
2015201340.tif 000004
【図３】
2015201340.tif 000005
【図４】
2015201340.tif 000006
【図５】
2015201340.tif 000007
【図６】
2015201340.tif 000008
【図７】
2015201340.tif 000009